(57)【特許請求の範囲】
【請求項１】
光回線内を送信される第１のサービスの第１の光チャネルデータユニット（ＯＤＵ）であって、前記光回線に直接多重化されるＯＤＵｋである前記第１のＯＤＵを保護粒度とみなすことと、
前記第１のＯＤＵを監視し、監視結果を取得することと、
前記監視結果が障害が発生したことを示す場合、前記第１のサービスの前記第１のＯＤＵに多重化されるＯＤＵｍである（ｍはｋ以下である）第２のＯＤＵのクロスを介してスイッチングを実行することと、
を含む、ＯＤＵ共有保護リング（ＳＰＲｉｎｇ）を実現する方法。
【請求項２】
前記第１のＯＤＵを監視し、前記監視結果を取得することは、
前記第１のＯＤＵのＯＤＵオーバヘッド（ＯＨ）内の経路監視（ＰＭ）を監視し、該ＰＭによって運ばれる情報に従って前記監視結果を取得すること
を含む、請求項１に記載の方法。
【請求項３】
前記第１のサービスの前記第２のＯＤＵのクロスを介してスイッチングを実行することは、
前記第１のＯＤＵのＯＤＵ  ＯＨ内の自動保護スイッチング／保護通信チャネル（ＡＰＳ／ＰＣＣ）によって運ばれるスイッチング要求情報に従って、前記第２のＯＤＵのクロスを介してスイッチングを実行すること
を含む、請求項１又は２に記載の方法。
【請求項４】
前記ＡＰＳ／ＰＣＣが、前記第１のサービスの光チャネルトランスポートユニット（ＯＴＵ）ＯＨ内のマルチフレームアライメント信号（ＭＦＡＳ）内の６、７、及び８ビットの値に従って、異なる保護モードに対応する、
請求項３に記載の方法。
【請求項５】
前記光回線内のサービスエントランスポイントによって、ＯＤＵｉが多重化されたＯＤＵｊを含む（ｉはｊより小さい）第２のサービスを受信することと、
前記サービスエントランスポイントによって、前記第２のサービスに対して逆多重化処理を実行し、前記第２のサービスから前記ＯＤＵｉを取得することと、
前記サービスエントランスポイントによって、前記ＯＤＵｉを前記第１のサービスの前記ＯＤＵｋに多重化することと、
を更に含み、
前記第２のＯＤＵのクロスを介してスイッチングを実行することは、
前記ＯＤＵｋの保護を実現するために、前記ＯＤＵｉのクロスを介してスイッチングを実行することを含む、
請求項１〜３のいずれか１項に記載の方法。
【請求項６】
前記光回線内のサービスエントランスポイントによって、ＯＤＵｉが多重化されたＯＤＵｊを含む（ｉはｊより小さい）第２のサービスを受信することと、
前記サービスエントランスポイントによって、前記ＯＤＵｉが多重化された前記ＯＤＵｊを前記第１のサービスの前記ＯＤＵｋに多重化することと、
を更に含み、
前記第２のＯＤＵのクロスを介してスイッチングを実行することは、
前記ＯＤＵｋの保護を実現するために、前記ＯＤＵｊのクロスを介してスイッチングを実行することか、又は、
前記ＯＤＵｋの保護を実現するために、前記ＯＤＵｉのクロスを介してスイッチングを実行すること、
を含む、請求項１〜３のいずれか１項に記載の方法。
【請求項７】
前記ＯＤＵｊを保護のための前記保護粒度とみなし、各ＯＤＵｊを監視し、前記ＯＤＵｊの保護を実現するために、前記ＯＤＵｉのクロスを介してスイッチングを実行すること
を更に含む、請求項６に記載の方法。
【請求項８】
前記光回線内のサービスエントランスポイントによって、ＯＤＵｉが多重化されたＯＤＵｊを含むＯＴＵｊである（ｉはｊより小さい）第２のサービスを受信することと、
前記サービスエントランスポイントによって、前記ＯＴＵｊをＯＤＵｆｌｅｘに多重化し、前記ＯＤＵｆｌｅｘを前記第１のサービスの前記ＯＤＵｋに多重化することと、
を更に含み、
前記第２のＯＤＵのクロスを介してスイッチングを実行することは、
前記ＯＤＵｋの保護を実現するために、前記ＯＤＵｆｌｅｘのクロスを介してスイッチングを実行すること
を含む、請求項１〜３のいずれか１項に記載の方法。
【請求項９】
前記第２のサービスによって通過されるノードが第２のサービス監視リングを形成し、
前記第１のサービスによって通過されるノードが第１のサービス監視リングを形成し、
前記方法は、
クロス監視リング保護（ｃｒｏｓｓ−ｍｏｎｉｔｏｒｉｎｇ  ｒｉｎｇ  ｐｒｏｔｅｃｔｉｏｎ）を実現するために、前記第２のサービス監視リング上の前記ＯＤＵｊのＯＤＵ  ＯＨ内のＰＭを監視し、前記第１のサービス監視リング上の前記ＯＤＵｋのＯＤＵ  ＯＨ内のＰＭを監視すること
を更に含む、請求項６又は８に記載の方法。
【請求項１０】
ｍがｋと等しい場合、
前記第１のＯＤＵを監視することは、
前記第２のサービスがＯＴＵサービスである場合、前記第１のＯＤＵのＯＤＵ  ＯＨ内のタンデム接続監視６（ＴＣＭ６）を監視し、
前記第２のサービスが非ＯＴＵサービスである場合、前記第１のＯＤＵのＯＤＵ  ＯＨ内のＰＭを監視すること
を含む、請求項６に記載の方法。
【請求項１１】
光回線内を送信される第１のサービスの第１の光チャネルデータユニット（ＯＤＵ）であって、前記光回線に直接多重化されるＯＤＵｋである前記第１のＯＤＵを保護粒度とみなすように構成された第１のモジュールと、
前記第１のＯＤＵを監視し、監視結果を取得するように構成された第２のモジュールと、
前記監視結果が障害が発生したことを示す場合、前記第１のサービスの前記第１のＯＤＵに多重化されるＯＤＵｍである（ｍはｋ以下である）第２のＯＤＵのクロスを介してスイッチングを実行するように構成された第３のモジュールと、
を備える、ＯＤＵ共有保護リング（ＳＰＲｉｎｇ）を実現する装置。
【請求項１２】
前記第１のモジュールに接続されると共に、ＯＤＵｉが多重化されたＯＤＵｊを含む（ｉはｊより小さい）第２のサービスを受信するように構成された第４のモジュールを更に備え、
サービスエントランスポイントが、前記ＯＤＵｉが多重化された前記ＯＤＵｊを前記第１のサービスの前記ＯＤＵｋに多重化し、
前記第３のモジュールが、更に、前記ＯＤＵｋの保護を実現するために、前記ＯＤＵｊのクロスを介してスイッチングを実行するように構成されるか、又は、前記ＯＤＵｋの保護を実現するために、前記ＯＤＵｉのクロスを介してスイッチングを実行するように構成される、
請求項１１に記載の装置。
【請求項１３】
前記第１のモジュールに接続されると共に、ＯＤＵｉが多重化されたＯＤＵｊを含む光チャネルトランスポートユニット−ｊ（ＯＴＵｊ）である（ｉはｊより小さい）第２のサービスを受信するように構成された第５のモジュールを更に備え、
サービスエントランスポイントが、前記ＯＴＵｊをＯＤＵｆｌｅｘに多重化し、前記ＯＤＵｆｌｅｘを前記第１のサービスの前記ＯＤＵｋに多重化し、
前記第３のモジュールが、更に、前記ＯＤＵｋの保護を実現するために、前記ＯＤＵｆｌｅｘのクロスを介してスイッチングを実行するように構成される、
請求項１１に記載の装置。
【請求項１４】
前記第１のモジュールに接続されると共に、ＯＤＵｉが多重化されたＯＤＵｊを含む（ｉはｊより小さい）第２のサービスを受信し、前記第２のサービスに対して逆多重化処理を実行し、前記第２のサービスから前記ＯＤＵｉを取得し、前記ＯＤＵｉを前記第１のサービスの前記ＯＤＵｋに多重化するように構成された第６のモジュールを更に備え、
前記第３のモジュールが、更に、前記ＯＤＵｋの保護を実現するために、前記ＯＤＵｉのクロスを介してスイッチングを実行するように構成される、
請求項１１に記載の装置。
【請求項１５】
前記第２のモジュールが、更に、前記第１のＯＤＵのＯＤＵオーバヘッド（ＯＨ）内の経路監視（ＰＭ）を監視し、前記ＰＭ内で運ばれる情報に従って監視結果を取得するように構成され、
前記第３のモジュールが、前記第１のＯＤＵのＯＤＵ  ＯＨ内の自動保護スイッチング／保護通信チャネル（ＡＰＳ／ＰＣＣ）内で運ばれるスイッチング要求情報に従って、前記第２のＯＤＵのクロスを介してスイッチングを実行するように特に構成され、
前記ＡＰＳ／ＰＣＣが、前記第１のサービスのＯＴＵ  ＯＨ内のマルチフレームアライメント信号（ＭＦＡＳ）内の６、７、及び８ビットの値に従って、異なる保護モードに対応する、
請求項１１〜１４のいずれか１項に記載の装置。
【発明の詳細な説明】
【技術分野】
【０００１】
本発明は、光通信技術に関し、特に、光チャネルデータユニット（ＯＤＵ）共有保護リング（ＳＰＲｉｎｇ）を実現する方法及び装置に関する。
【背景技術】
【０００２】
データサービスの急速な発展に伴い、データサービスのためのトランスポートネットワークも大幅に発展してきた。光トランスポートネットワーク（ＯＴＮ）は、光トランスポート技術の一種である。ＯＴＮは、光チャネル（ＯＣｈ）と、光多重化セクション（ＯＭＳ）と、光トランスポートセクション（ＯＴＳ）とを含む。ＯＣｈは、光チャネルペイロードユニット−ｋ（ＯＰＵｋ）、光チャネルデータユニット−ｋ（ＯＤＵｋ）、及び光チャネルトランスポートユニット−ｋ（ＯＴＵｋ）という３つのサブレイヤを更に含む。各サブレイヤは、対応するオーバヘッド（ＯＨ）と、ネットワークの管理及び監視をサポートするための機能とを有する。ｋは、オーダーであり、レベルを表し、異なるｋの値は、対応する異なるビットレートをサポートする。ＯＴＮ内では、サービスのサバイバビリティを効果的に向上させるために、様々な異なる保護モードが採用され得る。既存の同期デジタルハイアラーキ（ＳＤＨ）分野では、多重化セクション（ＭＳ）ＳＰＲｉｎｇが、ＶＣクロスを介して実現されることが可能である。しかし、ＳＤＨ分野におけるＭＳ  ＳＰＲｉｎｇは、ＯＴＮに容易に移植されることはできない。ＯＴＮシステムは、０、１、２、２ｅ、３、４などと番号付けされた複数のＯＤＵレベルを有する。スイッチングをトリガするためにどのようにして信号品質を監視するか、ＡＰＳ情報をどのようにして転送するか、及び、マルチレベルＯＤＵｋの保護をどのようにして調整するかなどの問題は、解決することが困難である。現在、ＯＴＮにおいて、ＯＤＵ  ＳＰＲｉｎｇの一手法が存在する。既存のＯＤＵ  ＳＰＲｉｎｇの実施手法では、システムがマルチレベルＯＤＵサービスを有する場合、ＯＤＵｋの各レベルのクロスを介してスイッチングが実行され、これは、現在のレベルのＯＤＵｋに対する保護のみを実現することが可能であり、すなわち、現在のレベルのＯＤＵｋが保護粒度（ｐｒｏｔｅｃｔｉｏｎ  ｇｒａｎｕｌａｒｉｔｙ）とみなされる。例えば、システムは３レベルのＯＤＵを有し、それらはそれぞれＯＤＵ２、ＯＤＵ１、及びＯＤＵ０であり、そして、１つのＯＤＵ２は、４つのＯＤＵ１又は８つのＯＤＵ０を含み得る。ＯＤＵ１のクロスを介したスイッチングがＯＤＵ１レベルの保護を実現するために実行され、そして、ＯＤＵ０レベルの保護を実現するためにＯＤＵ０のクロスを介してスイッチングが実行される。複数のクライアントサービスがＯＤＵ２に多重化され、複数のクライアントサービスが全て保護を必要とする場合に、ＯＤＵ１の保護が採用される場合は、４つの保護グループが作成される必要があり、ＯＤＵ０の保護が採用される場合は、８つの保護グループが作成される必要がある。
【発明の概要】
【発明が解決しようとする課題】
【０００３】
従来技術は、以下の欠点を有する。低オーダー（ＬＯ）ＯＤＵが保護粒度とみなされる場合、保護グループの数がより多くなり、必要とされるスイッチング時間が長くなり、スイッチング時間の閾値（５０ｍｓ）を超過する可能性さえあり、その結果として、スイッチングが円滑に実行されることができない。
【課題を解決するための手段】
【０００４】
本発明の実施形態は、保護グループの数が多く、スイッチング時間が長いという従来技術における問題を解決するためのＯＤＵ  ＳＰＲｉｎｇを実現する方法及び装置を提供する。
【０００５】
本発明の一実施形態で提供されるＯＤＵ  ＳＰＲｉｎｇを実現する方法は、
光回線内を送信される第１のサービスの第１のＯＤＵを保護粒度とみなし、ここで、第１のＯＤＵは、光回線に直接多重化されるＯＤＵｋであり、
第１のＯＤＵを監視し、監視結果を取得し、
監視結果が障害が発生したことを示す場合、第１のサービスの第２のＯＤＵのクロスを介してスイッチングを実行することを含み、ここで、第２のＯＤＵは、第１のＯＤＵに多重化されるＯＤＵｍであり、ｍはｋ以下である。
【０００６】
本発明の一実施形態で提供されるＯＤＵ  ＳＰＲｉｎｇを実現する装置は、
光回線内を送信される第１のサービスの第１のＯＤＵを保護粒度とみなすように構成された第１のモジュールと（ここで、第１のＯＤＵは、光回線に直接多重化されるＯＤＵｋであり）、
第１のＯＤＵを監視し、監視結果を取得するように構成された第２のモジュールと、
監視結果が障害が発生したことを示す場合、第１のサービスの第２のＯＤＵのクロスを介してスイッチングを実行するように構成された第３のモジュールと（ここで、第２のＯＤＵは、第１のＯＤＵに多重化されるＯＤＵｍであり、ｍはｋ以下である）、
を含む。
【発明の効果】
【０００７】
前述の技術的解決法から、本発明の実施形態では、第１のＯＤＵ  ＳＰＲｉｎｇが第２のＯＤＵのクロスを介して実行されるスイッチングによって実現され、ここで、第１のＯＤＵは保護粒度とみなされる。第１のＯＤＵのオーダーは第２のＯＤＵのオーダーより高いため、複数の第２のＯＤＵが１つの第１のＯＤＵに多重化され得る。従って、第１のＯＤＵを保護粒度とみなすことによって、保護グループの数を減少させることが可能であり、スイッチングプロセスを加速させることが可能である。
【図面の簡単な説明】
【０００８】
【図１】本発明の第１の実施形態による方法の概略フローチャートである。
【図２】本発明の第１の実施形態において採用されるＯＴＵｋ  ＯＨ部の概略構成図である。
【図３】本発明の第２の実施形態による方法の概略フローチャートである。
【図４】本発明の第２の実施形態に対応するシステムの概略構成図である。
【図５】本発明の第３の実施形態による方法の概略フローチャートである。
【図６】本発明の第３の実施形態に対応する概略構成図である。
【図７】本発明の第４の実施形態による方法の概略フローチャートである。
【図８】本発明の第４の実施形態に対応する概略構成図である。
【図９】本発明の第５の実施形態による方法の概略フローチャートである。
【図１０】本発明の第４又は第５の実施形態に対応するクロスリング保護の概略図である。
【図１１】本発明の第６の実施形態による方法の概略フローチャートである。
【図１２】本発明の第６の実施形態に対応する概略構成図である。
【図１３】本発明の第７の実施形態による装置の概略構成図である。
【発明を実施するための形態】
【０００９】
本発明における技術的解決法について、添付の図面及び実施形態を参照して、以下に更に詳細に説明する。
【００１０】
図１は、本発明の第１の実施形態による方法の概略フローチャートである。この方法は、以下を含む。
【００１１】
ステップ１１：監視エンドポイントは、光回線内を送信される第１のサービスの第１のＯＤＵを保護粒度とみなし、ここで、第１のＯＤＵは、光回線に直接多重化されるＯＤＵｋである。
【００１２】
ステップ１２：監視エンドポイントは、第１のＯＤＵを監視し、監視結果を取得する。
【００１３】
ステップ１３：監視結果が障害が発生したことを示す場合、監視エンドポイントは、第１のサービスの第２のＯＤＵのクロスを介してスイッチングを実行し、ここで、第２のＯＤＵは、第１のＯＤＵに多重化されるＯＤＵｍであり、ｍはｋ以下である。
【００１４】
この実施形態では、第１のＯＤＵ  ＳＰＲｉｎｇが第２のＯＤＵのクロスを介して実行されるスイッチングによって実現され、ここで、第１のＯＤＵは保護粒度とみなされる。第１のＯＤＵのオーダーは第２のＯＤＵのオーダーより高いため、複数の第２のＯＤＵが１つの第１のＯＤＵに多重化され得る。従って、第１のＯＤＵを保護粒度とみなすことによって、保護グループの数を減少させることが可能であり、スイッチングプロセスを加速させることが可能である。
【００１５】
第１のサービスが２つのレベルのＯＤＵを含む場合、第１の実施形態を例に取ると、ｍがｋより小さいならば、以下に説明する実施形態において、高いレベルを有するＯＤＵ（例えば、ＯＤＵｋ）は高オーダー（ＨＯ）ＯＤＵと呼ばれ、低いレベルを有するＯＤＵ（例えば、ＯＤＵｍ）は低オーダー（ＬＯ）ＯＤＵと呼ばれる。
【００１６】
本発明の実施形態をよりよく理解するために、本発明の実施形態が基づくＯＴＮ内の信号について最初に説明する。ＯＴＵｋは、４行及び４０８０バイトを有するフレームであり、ＯＰＵｋペイロード部と、ＯＴＵｋ前方誤り訂正（ＦＥＣ）部と、ＯＨ部とを含む。
【００１７】
図２は、本発明の第１の実施形態において採用されるＯＴＵｋ  ＯＨ部の概略構成図である。図２を参照すると、ＯＨ部は、ＯＰＵｋ  ＯＨと、ＯＤＵｋ  ＯＨと、ＯＴＵｋ  ＯＨとを含む。ＯＰＵｋ  ＯＨは、第１〜第４行内の第１５及び第１６列のバイトを占め、ＯＤＵｋ  ＯＨは、第２〜第４行内の第１〜第１４列のバイトを占め、ＯＴＵｋ  ＯＨは、第１行内の第８〜第１４列のバイトを占め、フレームアライメントＯＨは、第１行内の第１〜第７列のバイトを占める。
【００１８】
従来技術では、監視のために、タンデムコネクション監視（ＴＣＭ）が使用され、ＴＣＭがスイッチングをトリガする。しかし、１レベルのＴＣＭがこのモードにおいて占有されるため、サブネットワークコネクション／サブレイヤ監視（ＳＮＣ／Ｓ）などのＴＣＭを使用しなければならない他の保護モードが、このＳＰＲｉｎｇの範囲内でＴＣＭのそのレベルを採用することができない。加えて、従来技術では、自動保護スイッチング／保護通信チャネル（ＡＰＳ／ＰＣＣ）がマルチフレームアライメント信号（ＭＦＡＳ）の６、７、及び８ビットの値を採用し、監視モードと結合することによって、分類され、従って、どの１つがＯＤＵｋ  ＳＰＲｉｎｇに保護のために割り当てられるべきかを決定するのは容易ではない。
【００１９】
従って、本発明のこの実施形態では、ＨＯ  ＯＤＵの経路監視（ＰＭ）を監視することによって保護グループが監視され得て、そして、ＨＯ  ＯＤＵのＰＭはスイッチングをトリガする。ＨＯ  ＯＤＵのＡＰＳ／ＰＣＣ  ＯＨは、保護グループのＡＰＳ情報を転送するためのチャネルとして働き、ＡＰＳ／ＰＣＣは、ＭＦＡＳのフィールド値を介して分類され得る。このようにして、ＴＣＭは占有されず、従って、本発明のこの実施形態における保護モードは、他の保護モードと共存することが可能である。例えば、分類は、ＭＦＡＳの第６〜第８ビットを使用することによって実行され、そして、第６〜第８ビットの値「０００」は、ＨＯ  ＯＤＵ保護がＬＯ  ＯＤＵのクロスを介して実現されるという本発明のこの実施形態で採用される手法において、ＡＰＳ／ＰＣＣバイトが使用されることを示す。
【００２０】
図３は、本発明の第２の実施形態による方法の概略フローチャートである。この方法は、以下を含む。
【００２１】
ステップ３１：監視エンドポイントは、光回線内を送信される第１のサービスのＨＯ  ＯＤＵを、保護のための保護粒度とみなす。
【００２２】
ステップ３２：監視エンドポイントは、ＨＯ  ＯＤＵのＯＤＵ  ＯＨ部のＰＭを監視し、ＰＭ内で運ばれる情報に従って監視結果を取得する。
【００２３】
ステップ３３：監視結果が、障害が発生したことを示す場合、監視エンドポイントは、第１のサービスのＬＯ  ＯＤＵのクロスを介してスイッチングを実行する。
【００２４】
ＨＯ  ＯＤＵのＰＭがスイッチングをトリガするという本発明のこの実施形態で採用されるモードは、３Ｒノードの両端の保護をサポートすることが可能である。図４は、本発明の第２の実施形態に対応するシステムの概略構成図である。このシステムは、５つのノードＡ〜Ｅを含む。サービスは、ノードＡからリングに入り、ノードＥからリングを出て、Ａ〜Ｅ間での信号品質が監視される必要がある。ノードＡは、クライアントサービスを持ち込むために使用され、そして、クライアントサービスは、ＯＴＵ１サービスであると仮定する。ノードＡにおいて、クライアントサービスデータのＯＤＵ１は、ＯＤＵ２に多重化され、次に、光回線を介して送信される。従って、この実施形態では、ＨＯ  ＯＤＵはＯＤＵ２であり、ＬＯ  ＯＤＵはＯＤＵ１である。３Ｒノードがこの実施形態には更に含まれ（ＯＴＵ  ＯＨ部が３Ｒノードにおいて終端とされ及び再生成され）、ＯＤＵ２のＰＭを監視することによって、スイッチングがトリガされると仮定する。スイッチングをトリガするためにＯＤＵ２のＰＭが使用される必要がある理由を以下で分析する。ＯＤＵ１のＰＭがスイッチングをトリガするために使用されると仮定すると、しかし、ＯＤＵ１はノードＡの外部で生成されるため（ＯＤＵ１はノードＡにおいてＯＤＵ２に多重化されるため、ＯＤＵ１はノードＡより前に存在する）、それに応じてＯＤＵ１のＰＭはノードＡの外部で生成され、ＰＭの監視はＰＭ生成ポイントにおいて動作を開始し、ＯＤＵ１のＰＭが監視のために採用される場合、監視範囲はノードＡからノードＥまでではない。ＯＴＵ２のＳＭがスイッチングをトリガするために使用されると仮定すると、しかし、このシステムは３Ｒノードを有し、ＳＭは３Ｒノードにおいて終端とされ及び再生成されるため、監視範囲は３ＲノードとノードＥとの間であり、これも、この実施形態のノードＡからノードＥまでを監視する要求を満たさない。ＯＤＵ２のＰＭは、サービスがリングに入る位置又はリングを出る位置（例えば、ノードＡ又はノードＥ）において、終端とされ及び再生成されるため、ＯＤＵ２のＰＭを使用することによってスイッチングをトリガすることが適切である。
【００２５】
この実施形態では、ＰＭがスイッチングをトリガするために使用され、ＴＣＭは占有される必要がなく、従って、ＴＣＭを使用しなければならない他の保護モード（例えば、ＳＮＣ／Ｓ）も適宜採用されることが可能である。加えて、ＡＰＳ／ＰＣＣは、ＭＦＡＳの６、７、及び８ビットの値によって分類され、監視モードと結合されることに限定されない。
【００２６】
ＯＴＮシステムは複数の階層を含んでもよく、第１レベルの保護が第２レベルのＯＤＵを介して実現され続けるために、階層が追加されるノードにおいて、逆多重化及び多重化のプロセスが、第２レベルのＯＤＵを維持するために実行され得る。
【００２７】
図５は、本発明の第３の実施形態による方法の概略フローチャートであり、図６は、本発明の第３の実施形態に対応する概略構成図である。
【００２８】
図６を参照すると、システムは３つの階層を有し、ＨＧＦＫＪＩはＯＤＵ１リングに対応し、すなわち、ＯＤＵ１リングは２つのレベルのＯＤＵ（ＯＤＵ０、及びＯＤＵ１）を含み、ＯＤＵ０はＯＤＵ１に多重化されると仮定する。ＯＤＵ１リングの保護が実現される必要がある場合、ＯＤＵ１のＰＭを監視することによってスイッチングがトリガされ得て、そして、スイッチングがＯＤＵ０のクロスを介して実行される。サービスがノードＦにおいてＯＤＵ２に多重化される必要があり、ノードＦ、Ａ、Ｂ、Ｃ、Ｄ、及びＥはＯＤＵ２リングに対応し、すなわち、ＨＯ  ＯＤＵはＯＤＵ２であると仮定する。
【００２９】
保護階層の単純さを維持するために、システムが複数の階層を有する場合、２レベルのＯＤＵが依然として維持される。図５を参照すると、この実施形態は、以下を含む。
【００３０】
ステップ５１：階層が追加されるノード（この実施形態では、ノードＦ）は、入力される第２のサービスに対して逆多重化処理を実行し、第２のサービスのＯＤＵｉを取得する。第２のサービスはＯＤＵｉとＯＤＵｊとを含み、ＯＤＵｉはＯＤＵｊに多重化され、ここで、ｉはｊより小さい。この実施形態では、ＯＤＵｉはＯＤＵ０であり、ＯＤＵｊはＯＤＵ１である。
【００３１】
ステップ５２：階層が追加されるノード（Ｆ）は、ＯＤＵｉ（ＯＤＵ０）を第１のサービスのＨＯ  ＯＤＵ（この実施形態では、ＯＤＵ２）に多重化する。
【００３２】
ステップ５３：第１のサービスに対応するリング（ＯＤＵ２リング）内で、第１のサービスのＯＤＵ２  ＳＰＲｉｎｇ及び保護を実現するために、ＨＯ  ＯＤＵ（ＯＤＵ２）のＰＭを監視することによってスイッチングがトリガされ、スイッチングはＯＤＵｉ（ＯＤＵ０）のクロスを介して実行される。
【００３３】
この実施形態では、逆多重化処理が最初に実行され、これにより、サービスデータの階層の単純さが維持されることが可能であり、ＯＤＵ  ＳＰＲｉｎｇの手法を実施するために、既存の第２レベルのＯＤＵが単純に使用されることが可能である。
【００３４】
もちろん、システムがより多くの階層を有する場合、マルチレベル保護を実現するために、マルチレイヤＯＤＵが維持されてもよい。
【００３５】
図７は、本発明の第４の実施形態による方法の概略フローチャートであり、図８は、本発明の第４の実施形態に対応する概略構成図である。
【００３６】
図８を参照すると、システムは３つの階層を有し、ノードＨ、Ｇ、Ｊ、及びＩはＯＤＵ１リングに対応し、すなわち、ＯＤＵ１リングは２つのレベルのＯＤＵ（ＯＤＵ０、及びＯＤＵ１）を含み、ＯＤＵ０はＯＤＵ１に多重化されると仮定する。ＯＤＵ１リングの保護が実現される必要がある場合、ＯＤＵ１のＰＭを監視することによってスイッチングがトリガされてもよく、そして、スイッチングはＯＤＵ０のクロスを介して実行される。サービスはノードＡにおいてＯＤＵ２に多重化される必要があり、ノードＡ、Ｂ、Ｃ、Ｄ、Ｅ、及びＦはＯＤＵ２リングに対応すると仮定する。加えて、ノードＫ、Ｌ、Ｍ、及びＮが別のＯＤＵ１リングを形成する。マルチレベル保護を実現するために、ノードはＯＤＵ０を含むＯＤＵ１を直接多重化し得る。図７を参照すると、この実施形態は、以下を含む。
【００３７】
ステップ７１：第１のサービス監視リング（この実施形態では、ＯＤＵ２リング）上のサービスエントランスポイント（この実施形態では、ノードＡ）が、第２のサービスを受信する。第２のサービスはＯＤＵｉとＯＤＵｊとを含み、ＯＤＵｉはＯＤＵｊに多重化され、ここで、ｉはｊより小さい。この実施形態では、ＯＤＵｉはＯＤＵ０であり、ＯＤＵｊはＯＤＵ１である。
【００３８】
ステップ７２：サービスエントランスポイント（Ａ）は、ＯＤＵｉが多重化されたＯＤＵｊ（ＯＤＵ０を含むＯＤＵ１）を第１のサービスのＨＯ  ＯＤＵ（ＯＤＵ２）に多重化する。
【００３９】
ステップ７３：第１のサービスに対応するリング（ＯＤＵ２リング）内でマルチレベル保護が実現される。
【００４０】
マルチレベル保護は、ＯＤＵ２リング内でＯＤＵ２の保護が実現され、ＯＤＵ１の保護も実現され得ることを表す。
【００４１】
ＯＤＵ２の保護は以下のやり方で実現され得る。ＯＤＵ２が保護グループとみなされ、ＯＤＵ２のＰＭを監視することによってスイッチングがトリガされ、次に、ＯＤＵ０を含むＯＤＵ１のクロスを介してスイッチングが実行されてもよく、又は、ＯＤＵ０のクロスを介してスイッチングが実行されてもよい。
【００４２】
ＯＤＵ１の保護は以下のやり方で実現されてもよい。ＯＤＵ１が保護グループとみなされ、ＯＤＵ１のＰＭを監視することによってスイッチングがトリガされ、次に、ＯＤＵ０のクロスを介してスイッチングが実行される。
【００４３】
この実施形態では、ＯＤＵｉを含むＯＤＵｊを、より高いオーダーを有するＯＤＵｋに直接多重化することによって、マルチレベル保護が実現され、これにより、保護はより包括的になる。
【００４４】
図９は、本発明の第５の実施形態による方法の概略フローチャートであり、この実施形態でも、図８に示す概略構成図が参照され得る。第４の実施形態との違いは、第４の実施形態では、第２のサービスのＯＤＵ１が第１のサービスのＯＤＵ２に多重化されるのに対して、この実施形態では、第２のサービスのＯＴＵ１（ＯＴＵは、光回線内を送信される場合の基本単位であり、これはＯＤＵを含み、前述の説明においてＯＤＵが必要とされる場合、ＯＤＵはＯＴＵから抽出される）が全体としてＯＤＵｆｌｅｘに多重化され、次に、ＯＤＵｆｌｅｘがＯＤＵ２に多重化される。図９を参照すると、この実施形態は、以下を含む。
【００４５】
ステップ９１：第１のサービス監視リング（この実施形態では、ＯＤＵ２リング）上のサービスエントランスポイント（この実施形態では、ノードＡ）が、第２のサービスを受信する。第２のサービスはＯＤＵｉとＯＤＵｊとを含み、ＯＤＵｉはＯＤＵｊに多重化され、ここで、ＯＤＵｊはＯＴＵｊ内に含まれる。この実施形態では、ＯＤＵｉはＯＤＵ０であり、ＯＤＵｊはＯＤＵ１であり、ＯＴＵｊはＯＴＵ１である。
【００４６】
ステップ９２：サービスエントランスポイント（Ａ）は、ＯＴＵｊ（ＯＴＵ１）をＯＤＵｆｌｅｘに多重化する。
【００４７】
ステップ９３：サービスエントランスポイント（Ａ）は、ＯＤＵｆｌｅｘを第１のサービスのＨＯ  ＯＤＵ（この実施形態では、ＯＤＵ２）に多重化する。
【００４８】
ステップ９４：第１のサービス及び第２のサービスに対応するリング（この実施形態では、それぞれ、ＯＤＵ２リング及びＯＤＵ１リング）内でマルチレベル保護が実現される。
【００４９】
マルチレベル保護は、ＯＤＵ２リング内でＯＤＵ２の保護が実現され、ＯＤＵ１リング内でＯＤＵ１の保護が実現され得ることを表す。
【００５０】
ＯＤＵ２の保護は以下のやり方で実現されてもよい。ＯＤＵ２が保護グループとみなされ、ＯＤＵ２のＰＭを監視することによってスイッチングがトリガされ、次に、ＯＤＵｆｌｅｘのクロスを介してスイッチングが実行される。
【００５１】
ＯＤＵ１の保護は以下のやり方で実現されてもよい。ＯＤＵ１が保護グループとみなされ、ＯＤＵ１のＰＭを監視することによってスイッチングがトリガされ、次に、ＯＤＵ０のクロスを介してスイッチングが実行される。
【００５２】
もちろん、図７に示す第４の実施形態において、ＯＤＵ１及びＯＤＵ２がやはりマルチレベル保護リングを形成すると理解されてもよい。
【００５３】
この実施形態では、ＯＴＵを全体としてＯＤＵｆｌｅｘに直接多重化し、次に、ＯＤＵｆｌｅｘをＨＯ  ＯＤＵに多重化することによって、マルチレベル保護が実現され、これにより、保護がより包括的になる。
【００５４】
複数の保護リングを有するシステムにおいて、複数のレベル間の協調を実現するために、保護リングはそれぞれ監視されてもよい。例えば、図８を参照して、ノードＨ〜Ｌのサービスが監視される必要があると仮定すると、ノードＡとＢとの間で問題が発生した場合、ＯＤＵ２リング上のＯＤＵ２のＰＭが問題を発見し得て、従って、ＯＤＵ２の保護は、保護を実現するために、ＯＤＵ２リング上のＯＤＵ２のＰＭを監視することによって、スイッチングを実行するためにトリガされ得て、ノードＫとＬとの間で問題が発生した場合、ＯＤＵ１リング上のＯＤＵ１のＰＭが問題を発見し得て、従って、ＯＤＵ１の保護は、保護を実現するために、ＯＤＵ１リング上のＯＤＵ１のＰＭを監視することによって、スイッチングを実行するためにトリガされ得る。
【００５５】
図１０は、本発明の第４又は第５の実施形態に対応するクロスリング保護（ｃｒｏｓｓ−ｒｉｎｇ  ｐｒｏｔｅｃｔｉｏｎ）の概略図である。図１０を参照すると、クロスリング保護は、先に説明したそれぞれの監視を介して実現され得る。前述の分析から、この実施形態におけるＯＤＵ１  ＳＰＲｉｎｇの保護は、ＯＤＵ２リングを横断することによって実現され得るということがわかる。
【００５６】
この実施形態では、保護が複数レベルである場合、クロスリング保護は、異なるレベルの監視リングをそれぞれ監視することによって実現され得る。
【００５７】
単一レベルのＯＤＵのみがシステム内に存在する場合、このレベル内のＯＤＵは、ＨＯ  ＯＤＵとみなされてもよく、ＬＯ  ＯＤＵともみなされてもよく、そして、単一レベルのＯＤＵの保護も、先に説明した方法を使用することによって実現され得る。
【００５８】
図１１は、本発明の第６の実施形態による方法の概略フローチャートであり、図１２は、本発明の第６の実施形態に対応する概略構成図である。この実施形態は、システム内に単一レベルのＯＤＵのみが存在するシナリオに関する。図１２を参照すると、この実施形態では、ＯＤＵ２のサービスのみがシステム内に存在し、ノードＡ、Ｂ、Ｃ、Ｄ、Ｅ、及びＦがＯＤＵ２リングを形成すると仮定される。
【００５９】
図１１を参照すると、この実施形態は、以下を含む。
【００６０】
ステップ１１１：監視エンドポイントは、光回線内を送信される単一レベルのサービスのＯＤＵ（この実施形態では、ＯＤＵ２）を、ＨＯ  ＯＤＵとみなし、ＬＯ  ＯＤＵともみなす。
【００６１】
ステップ１１２：監視エンドポイントは、ＯＤＵ２のＯＨフィールドを監視し、ＯＨフィールドを介して監視結果を取得する。
【００６２】
具体的には、ノードによって持ち込まれるサービスがＯＴＵサービス（ＯＴＵ２）である場合、ＯＤＵ２のＴＣＭ６フィールドが監視される必要があり、このフィールドによって監視結果が運ばれ、ノードによって持ち込まれるサービスが非ＯＴＵサービス（例えば、ＳＴＭ−６４サービス）である場合、ＯＤＵ２  ＯＨのＰＭフィールドが監視結果を取得するために監視され得る。先の動作の理由は、ノードによって持ち込まれるサービスがＯＴＵサービスである場合、これは、サービスが持ち込まれる前にＯＴＵが存在し、サービスが持ち込まれる前に対応するＰＭが生成されることを示すということである。このように、依然としてＰＭを使用することによってスイッチングがトリガされる場合、監視範囲は監視される必要がある範囲と一致せず、誤ったスイッチングを発生させる可能性がある。
【００６３】
ステップ１１３：監視結果が障害が発生したことを示す場合、ＯＤＵ２の保護を実現するために、ＯＤＵ２のクロスを介してスイッチングが実行される。
【００６４】
この実施形態では、システム内に単一レベルのＯＤＵが存在する場合、保護は、単一レベルのＯＤＵを、ＨＯ  ＯＤＵとみなし、ＬＯ  ＯＤＵともみなすことによって実現される。
【００６５】
図１３は、本発明の第７の実施形態による装置の概略構成図である。この装置は、第１のモジュール１３１と、第２のモジュール１３２と、第３のモジュール１３３とを含む。第１のモジュール１３１は、光回線内を送信される第１のサービスの第１のＯＤＵを保護粒度とみなすように構成され、ここで、第１のＯＤＵは、光回線に直接多重化されるＯＤＵｋである。第２のモジュール１３２は、第１のＯＤＵを監視し、監視結果を取得するように構成される。第３のモジュール１３３は、監視結果が障害が発生したことを示す場合、第１のサービスの第２のＯＤＵのクロスを介してスイッチングを実行するように構成され、ここで、第２のＯＤＵは第１のＯＤＵに多重化されるＯＤＵｍであり、ｍはｋ以下である。
【００６６】
この実施形態は、第１のモジュールに接続され、第２のサービスを受信するように構成された第４のモジュールを更に含んでもよい。第２のサービスはＯＤＵｉが多重化されたＯＤＵｊを含み、ここで、ｉはｊより小さい。サービスエントランスポイントは、ＯＤＵｉが多重化されたＯＤＵｊを第１のサービスのＯＤＵｋに多重化する。このとき、第３のモジュールは、ＯＤＵｋの保護を実現するためにＯＤＵｊのクロスを介してスイッチングを実行するように特に構成され、又は、ＯＤＵｋの保護を実現するためにＯＤＵｉのクロスを介してスイッチングを実行するように特に構成される。
【００６７】
あるいは、この実施形態は、第１のモジュールに接続され、第２のサービスを受信するように構成された第５のモジュールを更に含んでもよい。第２のサービスは、ＯＤＵｉが多重化されたＯＤＵｊを含むＯＴＵｊであり、ここで、ｉはｊより小さい。サービスエントランスポイントは、ＯＴＵｊをＯＤＵｆｌｅｘに多重化し、そして、ＯＤＵｆｌｅｘを第１のサービスのＯＤＵｋに多重化する。このとき、第３のモジュールは、ＯＤＵｋの保護を実現するために、ＯＤＵｆｌｅｘのクロスを介してスイッチングを実行するように特に構成される。
【００６８】
この実施形態は、第１のモジュールに接続され、第２のサービスを受信し（ここで、第２のサービスは、ＯＤＵｉが多重化されたＯＤＵｊを含み、ｉはｊより小さく）、第２のサービスに対して逆多重化処理を実行し、第２のサービスからＯＤＵｉを取得し、ＯＤＵｉを第１のサービスのＯＤＵｋに多重化するように構成された第６のモジュールを更に含んでもよい。このとき、第３のモジュールは、ＯＤＵｋの保護を実現するために、ＯＤＵｉのクロスを介してスイッチングを実行するように特に構成される。
【００６９】
第２のモジュールは、第１のＯＤＵのＯＤＵ  ＯＨのＰＭを監視し、ＰＭ内で運ばれる情報に従って監視結果を取得するように特に構成される。第３のモジュールは、第１のＯＤＵのＯＤＵ  ＯＨ内のＡＰＳ／ＰＣＣ内で運ばれるスイッチング要求情報に従って、第２のＯＤＵのクロスを介してスイッチングを実行するように特に構成され、ここで、ＡＰＳ／ＰＣＣは、第１のサービスのＯＴＵ  ＯＨ内のＭＦＡＳ内の６、７、及び８ビットの値に従って、様々な異なる保護モードに対応する。
【００７０】
この実施形態では、第１のＯＤＵ  ＳＰＲｉｎｇが第２のＯＤＵのクロスを介して実行されるスイッチングによって実現され、ここで、第１のＯＤＵは保護粒度とみなされる。第１のＯＤＵのオーダーは第２のＯＤＵのオーダーより高いため、複数の第２のＯＤＵが１つの第１のＯＤＵに多重化され得る。従って、第１のＯＤＵを保護粒度とみなすことによって、保護グループの数を減少させることが可能であり、スイッチングプロセスを加速させることが可能である。
【００７１】
当業者は、前述の方法実施形態のステップの全て又は一部が関連するハードウェアに指示するプログラムによって実施されてもよいということを理解するであろう。プログラムはコンピュータ読み取り可能な記憶媒体内に記憶されてもよい。プログラムが実行される場合、前述の方法実施形態のステップが実行される。記憶媒体はＲＯＭ、ＲＡＭ、磁気ディスク、又は光ディスクなどの、プログラムコードを記憶することが可能な任意の媒体を含む。
【００７２】
最後に、前述の実施形態は、本発明の技術的解決法を説明するために使用されたにすぎず、本発明を限定することを意図するものではないということに留意されたい。本発明について例示的実施形態を参照して詳細に説明してきたが、当業者が、本発明の技術的解決法に対して、修正又は均等な置換を更に行うことが可能であり、しかし、それらの修正又は均等な置換は、修正された技術的解決法を本発明の技術的解決法の精神及び範囲から逸脱させることはできないということを理解されたい。
【図１】
0005412577.tif 000002
【図２】
0005412577.tif 000003
【図３】
0005412577.tif 000004
【図４】
0005412577.tif 000005
【図５】
0005412577.tif 000006
【図６】
0005412577.tif 000007
【図７】
0005412577.tif 000008
【図８】
0005412577.tif 000009
【図９】
0005412577.tif 000010
【図１０】
0005412577.tif 000011
【図１１】
0005412577.tif 000012
【図１２】
0005412577.tif 000013
【図１３】
0005412577.tif 000014